(57)【要約】【課題】建築物への車両の出入りを伴う作業の効率を向上させつつ建築物内への動物の侵入を確実に防止する。【解決手段】穀物倉庫１００の出入り口１０１前の侵入防止領域１０２を形成する境界線１０２ａ上に設置される壁部１０を備えて、穀物倉庫１００内への動物の侵入を壁部１０によって防止可能に構成され、上端部が侵入防止領域１０２の外側に向くように地面２００に対して所定角度だけ傾斜する傾斜姿勢で境界線１０２ａにおける車両出入り用区間１０ａを除く区間に固定設置されると共に壁部１０の一部を構成する固定壁部３と、車両出入り用区間１０ａに設置されたゲート部４と備え、ゲート部４は、傾斜姿勢と地面２００に対して平行な平行姿勢とを切り替え可能に構成されて壁部１０における一部を除く他の部分を構成する可動壁部１３と、切り替え制御に応じて可動壁部１３を傾斜姿勢および平行姿勢に切り替える切り替え機構とを備えている。【選択図】図１
2010285747.tif 000002
【特許請求の範囲】
【請求項１】
建築物の出入り口前の所定領域を形成する境界線上に設置される壁部を備えて、前記建築物内への動物の侵入を前記壁部によって防止する侵入防止装置であって、
上端部が前記所定領域の外側に向くように設置面に対して所定角度だけ傾斜する傾斜姿勢で前記境界線における車両出入り用の所定区間を除く区間に固定設置されると共に前記壁部の一部を構成する固定壁部と、前記所定区間に設置されたゲート部と備え、
前記ゲート部は、前記傾斜姿勢と前記設置面に対して平行な平行姿勢とを切り替え可能に構成されて前記壁部における前記一部を除く他の部分を構成する可動壁部と、切り替え制御に応じて前記可動壁部を前記傾斜姿勢および前記平行姿勢に切り替える切り替え機構とを備えている侵入防止装置。
【請求項２】
前記ゲート部から所定距離の範囲内に前記車両が存在しているときに当該車両を検出する検出部と、
前記検出部による前記車両の非検出状態において前記切り替え機構に対して前記可動壁部を前記傾斜姿勢に維持させると共に、前記検出部による前記車両の検出状態において前記切り替え機構に対して前記可動壁部を前記平行姿勢に切り替えさせる制御を前記切り替え制御として行う制御部とを備えている請求項１記載の侵入防止装置。
【請求項３】
前記ゲート部は、基体部と当該基体部の両端部に立設された支柱とを備え、
前記可動壁部は、前記基体部に支持された下端部を中心として回動して前記傾斜姿勢と平行姿勢とを切り替え可能に構成され、
前記切り替え機構は、前記支柱に取り付けられて前記可動壁部を回動させるエアシリンダで構成され、
前記制御部は、前記エアシリンダに対するエアの供給を制御することによって前記切り替え制御を行う請求項１または２記載の侵入防止装置。
【発明の詳細な説明】
【技術分野】
【０００１】
本発明は、建築物内への動物の侵入を防止する侵入防止装置に関するものである。
【背景技術】
【０００２】
動物の侵入を防止する侵入防止装置として、例えば、特開２００７−４３９９９号公報に開示された動物侵入防護柵が知られている。この動物侵入防護柵は、動物の侵入を防止する領域（侵入防止領域）を取り囲むようにして並設された金属製の複数の壁面材を備えて構成されている。この場合、この壁面材は、その下端が前面側（侵入防止領域の外側）に向かって湾曲すると共に、その上部が前面側に向かって傾斜するように構成されている。また、この壁面材は、地面に当接する底面部がアンカー杭によって地面に固定（締着）されている。
【先行技術文献】
【特許文献】
【０００３】
【特許文献１】特開２００７−４３９９９号公報（第４頁、第１−２図）
【発明の概要】
【発明が解決しようとする課題】
【０００４】
ところが、上記の動物侵入防護柵には、以下の問題点がある。すなわち、上記の動物侵入防護柵を含むこの種の侵入防止装置では、上記したように、壁面材がアンカー杭などによって地面に固定されている。この場合、この種の侵入防止装置を用いて、例えば、穀物倉庫内への動物（例えば、ねずみ等の小動物）の侵入を防止する際には、穀物倉庫の出入り口前の所定領域を取り囲むように壁面材を並設して固定する。一方、このような穀物倉庫では、荷物の出し入れのために出入り口から穀物倉庫内に搬送用車両を出入りさせる必要がある。このため、このような使用形態においては、出入り口前の所定領域を取り囲む壁面材の一部を地面に固定することなく移動可能な状態として、搬送用車両の出入りの際に壁面材の可動部分を移動させる構成が採用されている。しかしながら、この構成では、搬送用車両が頻繁に出入りするときには、壁面材の可動部分を移動させる煩雑な移動作業を頻繁に行う必要がある。したがって、従来の動物侵入防護柵を含むこの種の侵入防止装置には、その煩雑な移動作業に起因して搬送作業の効率が低下するという問題点が存在する。また、可動部分の元の位置への戻し忘れが生じるおそれがあり、その部分から動物が侵入するおそれがあるという問題点も存在する。
【０００５】
本発明は、かかる問題点に鑑みてなされたものであり、建築物への車両の出入りを伴う作業の効率を向上させつつ建築物内への動物の侵入を確実に防止し得る侵入防止装置を提供することを主目的とする。
【課題を解決するための手段】
【０００６】
上記目的を達成すべく請求項１記載の侵入防止装置は、建築物の出入り口前の所定領域を形成する境界線上に設置される壁部を備えて、前記建築物内への動物の侵入を前記壁部によって防止する侵入防止装置であって、上端部が前記所定領域の外側に向くように設置面に対して所定角度だけ傾斜する傾斜姿勢で前記境界線における車両出入り用の所定区間を除く区間に固定設置されると共に前記壁部の一部を構成する固定壁部と、前記所定区間に設置されたゲート部と備え、前記ゲート部は、前記傾斜姿勢と前記設置面に対して平行な平行姿勢とを切り替え可能に構成されて前記壁部における前記一部を除く他の部分を構成する可動壁部と、切り替え制御に応じて前記可動壁部を前記傾斜姿勢および前記平行姿勢に切り替える切り替え機構とを備えている。
【０００７】
また、請求項２記載の侵入防止装置は、請求項１記載の侵入防止装置において、前記ゲート部から所定距離の範囲内に前記車両が存在しているときに当該車両を検出する検出部と、前記検出部による前記車両の非検出状態において前記切り替え機構に対して前記可動壁部を前記傾斜姿勢に維持させると共に、前記検出部による前記車両の検出状態において前記切り替え機構に対して前記可動壁部を前記平行姿勢に切り替えさせる制御を前記切り替え制御として行う制御部とを備えている。
【０００８】
また、請求項３記載の侵入防止装置は、請求項１または２記載の侵入防止装置において、前記ゲート部は、基体部と当該基体部の両端部に立設された支柱とを備え、前記可動壁部は、前記基体部に支持された下端部を中心として回動して前記傾斜姿勢と平行姿勢とを切り替え可能に構成され、前記切り替え機構は、前記支柱に取り付けられて前記可動壁部を回動させるエアシリンダで構成され、前記制御部は、前記エアシリンダに対するエアの供給を制御することによって前記切り替え制御を行う。
【発明の効果】
【０００９】
請求項１記載の侵入防止装置によれば、設置面に対して所定角度だけ傾斜する傾斜姿勢と設置面に対して平行な平行姿勢とを切り替え可能に構成された可動壁部と、切り替え制御に応じて可動壁部を平行姿勢および傾斜姿勢に切り替えさせる切り替え機構とを有するゲート部を備えたことにより、壁部の一部を移動させる煩雑な作業を行うことなく、可動壁部を平行姿勢に切り替えた状態のゲート部を通過させて車両を所定領域に（つまり、建築物に）出入りさせることができる。このため、この侵入防止装置によれば、車両が頻繁に出入りする場合であっても、壁部の一部を移動させる煩雑な作業が不要な分、作業効率を十分に向上させることができる。また、車両が出入りした後に、移動させた壁部の一部を元に戻す煩雑な作業も不要なため、戻し忘れに起因する建築物内への動物の侵入を確実に防止することができる。
【００１０】
また、請求項２記載の侵入防止装置によれば、ゲート部から所定距離の範囲内に車両が存在しているときに車両を検出する検出部と、検出部による車両の非検出状態において切り替え機構に対して可動壁部を傾斜姿勢に維持させると共に、検出部による車両の検出状態において切り替え機構に対して可動壁部を平行姿勢に切り替えさせる切り替え制御を行う制御部とを備えたことにより、車両がゲート部に進入する前の時点からゲート部を通過するまでの間、可動壁部を平行姿勢に確実に維持することができる。このため、車両がゲート部に進入したときに可動壁部が平行姿勢に切り替えられずに車両が可動壁部に衝突したり、車両がゲート部を通過する前に可動壁部が傾斜姿勢に戻って可動壁部が車両に衝突したりして、可動壁部および車両が破損する事態を確実に防止することができる。また、制御部が、上記した切り替え制御を行うことにより、車両がゲート部を通過した時点で可動壁部を平行姿勢から傾斜姿勢に速やかに切り替えることができるため、可動壁部が長い時間に亘って平行姿勢に維持されることに起因する動物の侵入を確実に防止することができる。
【００１１】
また、請求項３記載の侵入防止装置によれば、基体部に支持された下端部を中心として回動可能に可動壁部を構成し、基体部の両端部に立設された支柱に取り付けられて可動壁部を回動させるエアシリンダで切り替え機構を構成し、制御部がエアシリンダに対するエアの供給を制御することによって切り替え制御を行うことにより、簡易な構成でありながら可動壁部を傾斜姿勢および平行姿勢に確実に切り替えることができる。このため、侵入防止装置を安価に構成することができると共に、構成が簡易な分、故障の発生を低く抑えることができる。また、基体部の両端部に支柱を立設させたことにより、車両がゲート部に進入する際の目印として支柱を機能させることができるため、車両の出入りをスムーズに行わせることができる。
【図面の簡単な説明】
【００１２】
【図１】侵入防止装置１の構成を示す平面図である。
【図２】侵入防止装置１の構成を示す斜視図である。
【図３】固定壁部３の断面図である。
【図４】ゲート部４の構成を示す斜視図である。
【図５】ゲート部４の構成を示す平面図である。
【図６】ゲート部４の動作を説明する第１の説明図である。
【図７】ゲート部４の動作を説明する第２の説明図である。
【図８】ゲート部４の動作を説明する第３の説明図である。
【図９】ゲート部４の動作を説明する第４の説明図である。
【発明を実施するための形態】
【００１３】
以下、本発明に係る侵入防止装置の実施の形態について、添付図面を参照して説明する。
【００１４】
最初に、侵入防止装置１の構成について説明する。図１に示す侵入防止装置１は、固定壁部３、ゲート部４、第１検出部５ａ、第２検出部５ｂ（以下、両検出部５ａ，５ｂを区別しないときには「検出部５」ともいう）、および制御部６を備えて、建築物の一例としての穀物倉庫１００内への動物（特に、ねずみ等の小動物）の侵入を防止可能に構成されている。この場合、固定壁部３とゲート部４の可動壁部１３（同図および図４参照）とによって構成される壁部１０が、穀物倉庫１００の出入り口１０１の前（出入り口１０１に取り付けられた扉１０４の前）の所定領域（侵入防止領域１０２）を形成する境界線１０２ａ上に設置され、この壁部１０によって侵入防止領域１０２への動物の侵入（つまり、出入り口１０１から穀物倉庫１００内への動物の侵入）が防止される。
【００１５】
固定壁部３は、図１，２に示すように、境界線１０２ａにおける車両出入り用の所定区間（両図に示す車両出入り用区間１０ａ）を除く区間に配置されて、上記したように壁部１０の一部を構成する。この固定壁部３は、一例として、帯状の板体を折り曲げることによって形成された複数の壁部材３ａを連結することによって構成されている。また、固定壁部３（壁部材３ａ）は、図３に示すように、折り曲げられた下端部３１に形成されているボルト孔３１ａにアンカーボルト４００を挿通させて締め込むことにより、地面２００（設置面）に固定設置される。この場合、固定壁部３は、設置状態（地面２００に固定された状態）において、上端部３２が侵入防止領域１０２の外側に向いて地面２００に対して所定角度θ（一例として６０°）だけ傾斜するように下端部３１の折り曲げ角度が調整されている。また、固定壁部３は、設置状態における下端部３１から上端部３２までの高さが５０ｃｍ程度となるように構成されている。なお、固定壁部３およびゲート部４の可動壁部１３が地面２００に対して上記の所定角度θで傾斜している姿勢を、以下「傾斜姿勢」ともいう。
【００１６】
ゲート部４は、図４，５に示すように、基体部１１、４本の支柱１２、可動壁部１３および切り替え機構１４を備えて構成されて、図１に示すように、上記した車両出入り用区間１０ａに設置されている。また、ゲート部４は、図６に示すように、基体部１１に形成されているボルト孔１１ａにアンカーボルト４００を挿通させて締め込むことにより、地面２００に固定される。この場合、図５に示すように、基体部１１は、例えば矩形の枠状に形成され、支柱１２は、基体部１１の四隅近傍に立設されている。可動壁部１３は、図４に示すように、帯状の板体で形成されて、上記したように壁部１０における他の部分（固定壁部３以外の部分）を構成する。また、可動壁部１３は、図外の蝶番を介して基体部１１に支持された下端部４１を中心として回動可能に配設され、切り替え機構１４によって回動させられることにより、図６，８に示すように、上記した傾斜姿勢、および地面２００に対して平行な姿勢（以下「平行姿勢」ともいう）のいずれかの姿勢に切り替えられる。また、可動壁部１３は、傾斜姿勢における下端部４１から上端部４２までの高さが５０ｃｍ程度となるように構成されている。
【００１７】
切り替え機構１４は、図４，５に示すように、２つの支柱１２にそれぞれ回動可能に取り付けられた２つのエアシリンダ２１（一例として、単動型エアシリンダ）を備えて構成されている。また、図５，６に示すように、エアシリンダ２１のロッド２１ａの先端部は、可動壁部１３の上端部４２に取り付けられている連結部１３ａを介して可動壁部１３に接続されている。また、エアシリンダ２１は、制御部６によって制御されるエアの供給および供給停止によって作動してロッド２１ａの伸縮を行うことにより、可動壁部１３を回動させる。この場合、エアシリンダ２１は、図６に示すように、ロッド２１ａを縮長させた状態において可動壁部１３を傾斜姿勢に維持し、図８に示すように、ロッド２１ａを伸長させた状態において可動壁部１３を平行姿勢に維持する（つまり、可動壁部１３を傾斜姿勢および平行姿勢のいずれかに切り替える）。
【００１８】
第１検出部５ａおよび第２検出部５ｂは、発光部５１および受光部５２を備えた光電センサでそれぞれ構成されている。この場合、第１検出部５ａは、図１に示すように、侵入防止領域１０２の外側におけるゲート部４から所定の距離だけ離間した位置に配設されて、その配設位置に車両３００が位置しているときに車両３００を検出して検出信号を出力する。また、第２検出部５ｂは、同図に示すように、侵入防止領域１０２の内側におけるゲート部４から所定の距離だけ離間した位置に配設されて、その配設位置に車両３００が位置しているときに車両３００を検出して検出信号を出力する。つまり、ゲート部４から所定距離の範囲（同図に示す検出領域２０１）内に車両３００が存在しているときには、両検出部５の一方または双方によって車両３００が検出される。
【００１９】
制御部６は、第１検出部５ａおよび第２検出部５ｂから出力される検出信号に基づいてエアシリンダ２１に対するエアの供給および供給停止を行ってエアシリンダ２１を作動させることにより、エアシリンダ２１（切り替え機構１４）に対して可動壁部１３を傾斜姿勢および平行姿勢に切り替えさせる切り替え制御を行う。具体的には、制御部６は、両検出部５の双方から検出信号が出力されていない状態（検出部５による車両３００の非検出状態）において切り替え機構１４に対して可動壁部１３を傾斜姿勢に維持させ、両検出部５の少なくとも一方から検出信号が出力されている状態（検出部５による車両３００の検出状態）において切り替え機構１４に対して可動壁部１３を平行姿勢に切り替えさせる。また、制御部６は、図１に示すように、例えば、穀物倉庫１００の外壁１０３に取り付けられる。
【００２０】
次に、侵入防止装置１の設置方法について、図面を参照して説明する。
【００２１】
図１に示すように、まず、穀物倉庫１００の出入り口１０１前の地面２００に、動物の侵入を防止すべき侵入防止領域１０２を設定し、次いで、侵入防止領域１０２を形成する境界線１０２ａ上に壁部材３ａを並べる。この場合、車両３００を出入りさせるための車両出入り用区間１０ａを除く区間に壁部材３ａを並べる。続いて、連結部材３ｂを用いて各壁部材３ａを連結する。次いで、固定壁部３の下端部３１に形成されているボルト孔３１ａにアンカーボルト４００を挿通させて締め込むことにより、固定壁部３を地面２００に固定する。また、固定壁部３の穀物倉庫１００側の端部を、穀物倉庫１００の外壁１０３に固定する。これにより、境界線１０２ａにおける車両出入り用区間１０ａを除く区間に固定壁部３が設置される。この場合、固定壁部３は、図３に示すように、上端部３２が侵入防止領域１０２の外側に向いて地面２００に対して所定角度θ（この例では、６０°）だけ傾斜する傾斜姿勢に維持されている。
【００２２】
続いて、図１に示すように、上記した車両出入り用区間１０ａにゲート部４を設置する。具体的には、図７に示すように、固定壁部３と可動壁部１３とが連続するようにして、車両出入り用区間１０ａの地面２００にゲート部４を載置し、次いで、図６に示すように、基体部１１に形成されているボルト孔１１ａにアンカーボルト４００を挿通させて締め込むことにより、基体部１１を地面２００に固定する。これにより、ゲート部４が設置される。この場合、同図に示すように、初期状態では、ゲート部４におけるエアシリンダ２１のロッド２１ａが縮長しており、このため、ゲート部４の可動壁部１３が傾斜姿勢に維持されている。
【００２３】
続いて、各検出部を配設する。この場合、侵入防止領域１０２の外側におけるゲート部４から所定の距離（例えば１ｍ程度）だけ離間した位置に第１検出部５ａを配設する。また、侵入防止領域１０２の内側におけるゲート部４から所定の距離（例えば１ｍ程度）だけ離間した位置に第２検出部５ｂを配設する。次いで、ゲート部４のエアシリンダ２１に対するエア供給用チューブの接続や、制御部６と各検出部５との間の配線を行う。以上により、侵入防止装置１の設置が完了する。
【００２４】
次に、侵入防止装置１の使用方法およびその際の侵入防止装置１における各構成要素の動作について、図面を参照して説明する。
【００２５】
この侵入防止装置１では、上記したように、壁部１０を構成する固定壁部３およびゲート部４の可動壁部１３が傾斜姿勢に維持されている（図７参照）。したがって、例えば、ねずみ等の小動物が侵入防止領域１０２を通って穀物倉庫１００内に侵入しようとしても、固定壁部３および可動壁部１３を乗り越えることができないため、これらの小動物の侵入防止領域１０２内への侵入が阻止されて、この結果、穀物倉庫１００内への小動物の侵入が確実に防止される。
【００２６】
一方、この侵入防止装置１では、稼動状態において、制御部６が切り替え制御を行う。この切り替え制御では、制御部６は、第１検出部５ａおよび第２検出部５ｂから出力される検出信号に基づいてエアシリンダ２１に対するエアの供給および供給停止を行うことにより、切り替え機構１４に対して可動壁部１３を傾斜姿勢および平行姿勢のいずれかに切り替えさせる。具体的には、例えば、トラックやフォークリフト等の車両３００が穀物倉庫１００内に入るために、侵入防止領域１０２の外側からゲート部４に近付いて、図１に実線で示すように、その先頭部分が検出領域２０１内に位置したときには、第１検出部５ａが検出信号を出力する。
【００２７】
これに応じて、制御部６が、図外の電磁弁を制御してエアシリンダ２１に対してエアを供給させる。この際に、図８に示すように、エアシリンダ２１のロッド２１ａが伸長して、連結部１３ａを介してロッド２１ａの先端部に接続されている可動壁部１３の上端部４２が基体部１１側（地面２００側）に向けて押圧される。これにより、同図および図９に示すように、可動壁部１３が回動させられて、傾斜姿勢から平行姿勢に切り替えられて、車両３００がこの可動壁部１３の上を通って（ゲート部４を通過して）侵入防止領域１０２内に入ることが可能となる。
【００２８】
続いて、図１に破線で示すように、車両３００が侵入防止領域１０２内に入り、その後部が検出領域２０１の外に出たときには、両検出部５からの検出信号の出力が停止する。これに応じて、制御部６は、電磁弁を制御してエアシリンダ２１に対するエアの供給を停止させる。この際に、エアシリンダ２１のロッド２１ａが縮長して、ロッド２１ａの先端部に接続されている可動壁部１３の上端部４２がエアシリンダ２１側に引き寄せられる。これにより、可動壁部１３が回動させられて、図６に示すように、平行姿勢から傾斜姿勢に切り替えられる。
【００２９】
ここで、この侵入防止装置１では、制御部６が、上記した切り替え制御を行うことにより、車両３００がゲート部４に進入する前の時点からゲート部４を通過するまでの間、可動壁部１３が平行姿勢に維持される。このため、車両３００がゲート部４に進入したときに可動壁部１３が平行姿勢に切り替えられずに車両３００が可動壁部１３に衝突したり、車両３００がゲート部４を通過する前に可動壁部１３が傾斜姿勢に戻って可動壁部１３が車両３００に衝突したりして、可動壁部１３および車両３００が破損する事態を確実に防止することが可能となっている。また、制御部６が、上記した切り替え制御を行うことにより、車両３００がゲート部４を通過した時点で可動壁部１３が平行姿勢から傾斜姿勢に速やかに切り替えられる。このため、可動壁部１３が長い時間に亘って平行姿勢に維持されることに起因する動物の侵入を確実に防止することが可能となっている。
【００３０】
次いで、穀物倉庫１００内から出た車両３００が侵入防止領域１０２の内側からゲート部４に近付いて、検出領域２０１内に位置したときには、第２検出部５ｂが検出信号を出力し、制御部６が、エアシリンダ２１に対してエアを供給させことにより、可動壁部１３が傾斜姿勢から平行姿勢に切り替えられる。これにより、車両３００がゲート部４を通過して侵入防止領域１０２外に出ることが可能となる。続いて、車両３００がゲート部４を通過して検出領域２０１外に出たときには、両検出部５からの検出信号の出力が停止し、制御部６が、エアシリンダ２１に対するエアの供給を停止させることにより、可動壁部１３が平行姿勢から傾斜姿勢に切り替えられる。以下、制御部６は、切り替え制御を行うことにより、車両３００の出入りに伴って可動壁部１３を傾斜姿勢および平行姿勢に切り替えさせる。
【００３１】
ここで、この侵入防止装置１では、制御部６が、上記した切り替え制御を行うことにより、壁部１０の一部を移動させる煩雑な作業を行うことなく、車両３００を侵入防止領域１０２に（つまり、穀物倉庫１００に）出入りさせることが可能となっている。このため、車両３００が頻繁に出入りする場合であっても、そのような移動作業が不要な分、作業効率を十分に向上させることが可能となっている。
【００３２】
このように、この侵入防止装置１によれば、地面２００に対して所定角度θだけ傾斜する傾斜姿勢と地面２００に対して平行な平行姿勢とを切り替え可能に構成された可動壁部１３と、所定の切り替え制御に応じて可動壁部１３を平行姿勢および傾斜姿勢に切り替えさせる切り替え機構１４とを有するゲート部４を備えたことにより、壁部１０の一部を移動させる煩雑な作業を行うことなく、可動壁部１３を平行姿勢に切り替えた状態のゲート部４を通過させて車両３００を侵入防止領域１０２に（穀物倉庫１００に）出入りさせることができる。このため、この侵入防止装置１によれば、車両３００が頻繁に出入りする場合であっても、壁部１０の一部を移動させる煩雑な作業が不要な分、作業効率を十分に向上させることができる。また、車両３００が出入りした後に、移動させた壁部１０の一部を元に戻す煩雑な作業も不要なため、戻し忘れに起因する穀物倉庫１００内への動物の侵入を確実に防止することができる。
【００３３】
また、この侵入防止装置１によれば、検出領域２０１内に車両３００が存在しているときに車両３００を検出する検出部５と、検出部５による車両３００の非検出状態において切り替え機構１４に対して可動壁部１３を傾斜姿勢に維持させると共に、検出部５による車両３００の検出状態において切り替え機構１４に対して可動壁部１３を平行姿勢に切り替えさせる切り替え制御を行う制御部６とを備えたことにより、車両３００がゲート部４に進入する前の時点からゲート部４を通過するまでの間、可動壁部１３を平行姿勢に確実に維持することができる。このため、車両３００がゲート部４に進入したときに可動壁部１３が平行姿勢に切り替えられずに車両３００が可動壁部１３に衝突したり、車両３００がゲート部４を通過する前に可動壁部１３が傾斜姿勢に戻って可動壁部１３が車両３００に衝突したりして、可動壁部１３および車両３００が破損する事態を確実に防止することができる。また、制御部６が、上記した切り替え制御を行うことにより、車両３００がゲート部４を通過した時点で可動壁部１３を平行姿勢から傾斜姿勢に速やかに切り替えることができるため、可動壁部１３が長い時間に亘って平行姿勢に維持されることに起因する動物の侵入を確実に防止することができる。
【００３４】
また、この侵入防止装置１によれば、基体部１１に支持された下端部４１を中心として回動可能に可動壁部１３を構成し、基体部１１の両端部に立設された支柱１２に取り付けられて可動壁部１３を回動させるエアシリンダ２１で切り替え機構１４を構成し、制御部６がエアシリンダ２１に対するエアの供給を制御することによって切り替え制御を行うことにより、簡易な構成でありながら可動壁部１３を傾斜姿勢および平行姿勢に確実に切り替えることができる。このため、侵入防止装置１を安価に構成することができると共に、構成が簡易な分、故障の発生を低く抑えることができる。また、基体部１１の両端部に支柱１２を立設させたことにより、車両３００がゲート部４に進入する際の目印として支柱１２を機能させることができるため、車両３００の出入りをスムーズに行わせることができる。
【００３５】
なお、エアシリンダ２１によって１３を回動させる構成例について上記したが、エアシリンダ２１に代えてモータで可動壁部１３を回動させる構成を採用することもできる。また、切り替えを指示する手動スイッチを、例えばゲート部４の近傍に配設して、その手動スイッチの操作（所定の切り替え制御）に応じて、切り替え機構１４がエアシリンダ２１を作動させて可動壁部１３を回動させる（平行姿勢および傾斜姿勢に切り替えさせる）構成を採用することもできる。
【００３６】
また、傾斜姿勢における固定壁部３および可動壁部１３の傾斜角度を６０°に規定した例について上記したが、傾斜姿勢は任意に規定することができる。また、傾斜姿勢における下端部３１から上端部３２までの高さが５０ｃｍ程度となるように固定壁部３を構成し、傾斜姿勢における下端部４１から上端部４２までの高さが５０ｃｍ程度となるように可動壁部１３を構成した例について上記したが、これらの高さは、侵入防止の対象とする動物の大きさに応じて任意に規定することができる。
【符号の説明】
【００３７】
１  侵入防止装置
３  固定壁部
４  ゲート部
５ａ  第１検出部
５ｂ  第２検出部
６  制御部
１０  壁部
１０ａ  車両出入り用区間
１１  基体部
１２  支柱
１３  可動壁部
１４  切り替え機構
２１  エアシリンダ
３２  上端部
１００  穀物倉庫
１０１  出入り口
１０２  侵入防止領域
１０２ａ  境界線
２００  地面
２０１  検出領域
３００  車両
【図１】
2010285747.tif 000003
【図２】
2010285747.tif 000004
【図３】
2010285747.tif 000005
【図４】
2010285747.tif 000006
【図５】
2010285747.tif 000007
【図６】
2010285747.tif 000008
【図７】
2010285747.tif 000009
【図８】
2010285747.tif 000010
【図９】
2010285747.tif 000011